(57)【要約】【課題】ブロー成形ボトルの把手取付用凹部の成形精度が悪く、剛性が十分でない場合でも強固に取付可能なプラスチック製のボトル用把手を提案すること。【解決手段】ボトル本体２の把手取付用凹部５に取り付けられるプラスチック製のボトル用把手１０は、握り部１１、可撓性の上側腕部１２、剛性の下側腕部１３および下側腕部１３の先端部からボトル上方に向かって延びている撓み防止板１４を有している。把手１０を把手取付用凹部５に押し込み、上下の突起１６、１８を上下の嵌め込み溝７ａ、８ａに嵌め、撓み防止板１４を押し込み、その先端１４ａを上側腕部１２の先端係合溝１２ｂに嵌めることにより、上側腕部１２の撓みが阻止され、把手１０がボトル側の把手取付用凹部５に固定された状態が形成される。ボトル側の把手取付用凹部５の下側端面８の形状精度が悪い場合、剛性が低い場合でも把手１０を強固にボトル本体２に固定できる。【選択図】図１
2007276841.tif 000002
【特許請求の範囲】
【請求項１】
プラスチックボトルに形成されている把手取付部に嵌め込み固定されるプラスチック製のボトル用把手において、
縦長の握り部と、
この握り部のボトル側表面の上端部から突出している、上下方向に撓み可能な可撓性の上側腕部と、
前記握り部のボトル側表面の下端部から突出している、上下方向に撓むことのない剛性の下側腕部と、
前記上側腕部あるいは前記下側腕部の先端部から他方の腕部に向けて延びており、当該他方の腕部の表面に沿ってその先端側に押し出すと、前記上側腕部を上方に撓めながら移動して、当該他方の腕部の先端部に形成されている先端係合溝に嵌り込み、前記上側腕部と前記下側腕部の間隔が狭まることの無い様に保持可能な撓み防止板と、
前記上側腕部の上面の先端部から上方に突出している上側係合突起と、
前記下側腕部の下面の先端部から下方に突出している下側係合突起と、
を有していることを特徴とするボトル用把手。
【請求項２】
請求項１において、
前記撓み防止板は、前記下側腕部の先端部から前記上側腕部に向けて延びており、
前記上側腕部の先端部に前記先端係合溝が形成されていることを特徴とするボトル用把手。
【請求項３】
請求項１または２において、
前記撓み防止板は、そのボトル側表面に、その長辺方向に延びている第１補強リブを備えていることを特徴とするボトル用把手。
【請求項４】
請求項１または２において、
前記撓み防止板は、そのボトル側表面とは反対側の表面に、その長辺方向に延びている第２補強リブを備えていることを特徴とするボトル用把手。
【請求項５】
請求項４において、
前記下側腕部は、その上面に、前記握り部のボトル側表面から前記第２補強リブに至る第３補強リブを備えていることを特徴とするボトル用把手。
【請求項６】
請求項１または２において、
前記握り部の上端面から突出している位置決め用突起を備えていることを特徴とする把手付きボトル。
【請求項７】
胴部の外周面部分に把手取付部が形成されているプラスチック製のボトルと、当該ボトルのブロー成形後に前記把手取付部に取り付けられたプラスチック製の把手とを有する把手付きボトルにおいて、
前記把手取付部は、
ボトル上下方向に延びる所定幅の凹部と、
当該凹部の下向きの上側端面におけるボトル中心側の端から上方に窪んでいる上側嵌め込み溝と、
前記凹部の上向きの下側端面におけるボトル中心側の端から下方に窪んでいる下側嵌め込み溝とを備えており、
前記把手は、
前記上側端面の開口縁から前記下側端面の開口縁まで延びている縦長の握り部と、
当該握り部の上端部からボトル中心側に向けて突出し、前記上側端面に当接している上側当接面を備えた上側腕部と、
当該上側腕部の先端部から上方に突出し、前記上側嵌め込み溝に嵌っている上側係合突起と、
前記上側腕部の先端部の下面部分から下方に突出している爪部分によって当該下面部分の先端側に形成された先端係合溝と、
前記握り部の下端部からボトル中心側に向けて突出し、前記下側端面に当接している下側当接面を備えた下側腕部と、
当該下側腕部の先端部から下方に突出し、前記下側嵌め込み溝に嵌っている下側係合突起と、
前記下側腕部の先端部から前記上側腕部の先端部の下面部分まで延び、先端部が当該下面部分に形成されている前記先端係合溝に嵌め込まれている撓み防止板とを備えており、
前記下側腕部は、ボトル上下方向には実質的に撓むことのない剛性腕部であり、
前記上側腕部は、ボトル上下方向に撓むことのできる可撓性腕部であり、
前記凹部に前記把手を押し込み、前記撓み防止板の先端部を前記爪部分を越えて前記先端係合溝に押し込むことにより前記上側腕部の撓みが阻止され、当該把手が前記把手取付部に取り付けられた状態に保持されていることを特徴とする把手付きボトル。
【請求項８】
請求項７において、
前記撓み防止板におけるボトル側表面には、上下方向に延びる第１補強リブが形成されていることを特徴とする把手付きボトル。
【請求項９】
請求項７または８において、
前記撓み防止板は、そのボトル側表面とは反対側の表面に、上下方向に延びている第２補強リブを備えていることを特徴とする把手付きボトル。
【請求項１０】
請求項９において、
前記下側腕部は、その上面に、前記握り部のボトル側表面から前記第２補強リブに至る第３補強リブを備えていることを特徴とする把手付きボトル。
【請求項１１】
請求項８において、
前記凹部における前記上側端面のボトル中心側の端から前記下側端面のボトル中心側の端に至る凹部底面には、当該第１補強リブが嵌り込む上下方向に延びるリブ溝が形成されていることを特徴とする把手付きボトル。
【請求項１２】
請求項７において、
前記凹部底面には、前記撓み防止板、前記上側腕部の先端部分および前記下側腕部の先端部分を嵌めるための上下方向に延びる縦長の浅い凹部が形成されていることを特徴とする把手付きボトル。
【請求項１３】
請求項７において、
前記把手取付部は、前記凹部の前記上側端面の開口縁部分に形成された差込溝を備え、
前記把手は、前記差込溝に対峙している前記把手の前記上側当接面の部位に形成され、当該差込溝に差し込まれている係合突起を備えていることを特徴とする把手付きボトル。
【請求項１４】
請求項７において、
前記撓み防止板の初期形状は、その長辺方向に沿ってボトル側に凸となるように湾曲した形状であり、
前記凹部に前記把手を押し込み、前記撓み防止板の先端部を前記先端係合溝に嵌め込んだ状態では、当該撓み防止板がその長辺方向に沿ってほぼ直線状に保持されることを特徴とする把手付きボトル。
【発明の詳細な説明】
【技術分野】
【０００１】
本発明は、把手取付部が形成されているプラスチック製のボトルに取り付けられるプラスチック製のボトル用把手、および、当該ボトル用把手が取り付けられた把手付きボトルに関するものである。特に、本発明は、ボトルの把手取付部に対して強固に取付可能なボトル用把手に関するものである。
【背景技術】
【０００２】
食用油などを入れるプラスチック製の大型ボトル等は重いので、持ち運びを簡単に行うことができるように、その胴部外周面部分に把手が取り付けられている。把手の取付方法としては、把手取付用凹部を外周面に備えた形状のボトルを二軸延伸ブロー成形し、しかる後に当該把手取付用凹部に、別個に成形しておいた把手を取り付ける後付け方法が知られている。
【０００３】
この方法により把手が取り付けられたボトルは下記の特許文献１、２に開示されている。これらの特許文献に開示されている把手は、ボトル上下方向に長い握り部と、そのボトル上下方向の端から突出している腕部と、上側の腕部から下側の腕部に向けて延びている固定板（支持板）とを備えた構造となっている。いずれの把手においても、ボトル側に形成されている把手取付用凹部に上下の腕部を強制的に嵌め込み、しかる後に固定板（支持板）を強制的に押し込み、その先端部を下側の腕部の先端部に係合させるようになっている。固定板（支持板）が下側の腕部に係合すると、下側の腕部が上側に撓むことが阻止され、上下の腕部の間隔が一定に保持されるので、把手が把手取付用凹部に取り付けられた状態に保持される。
【特許文献１】特許第３５０８８９７号公報
【特許文献２】実用新案登録第２５６８９９０号公報
【発明の開示】
【発明が解決しようとする課題】
【０００４】
従来の把手は、その下側の腕部を薄い板とし、上下方向に撓み易くしてある。そして、これを上側の腕部に一体形成されている固定板（支持板）によって下方に強制的に撓めて、ボトル側の把手取付用凹部の下側端面に押し付けている。これによって、上下の腕部の間隔を広げた状態に保持できるので、上下の腕部に形成されている突起がボトル側の溝に嵌り、把手がボトルに固定された状態が形成される。この構成の把手付きボトルにおいては、ブロー成形時に同時に形成される把手取付部の形状精度および剛性を確保できないと、把手の固定強度を十分に高めることができない。
【０００５】
ここで、ボトルのブロー成形時には、ブロー金型内において、プリフォームがその口部側から徐々に延伸ブローされる。把手取付部の下側端面は、延伸ブロー方向とは反対側に湾曲しているので、その部分をブロー金型の成形面に密着させて精度良く成形することが困難である。また、当該下側端面の部分は、延伸ブローの最終段階においてブロー金型成形面に押し付けられて成形されるので、他の部分に比べて延伸倍率が高いので薄くなり、面外方向の剛性が低下し易い。
【０００６】
このため、二軸延伸ブロー成形により製造されるボトルにおいては、その把手取付部の下側端面の形状精度および剛性を確保することが困難である。把手取付部の下側端面には、把手の下側の腕部が当接し、当該腕部に形成されている突起が嵌り込む。よって、把手取付部の下側端面の形状精度および剛性を確保することができないと、当該下側端面から把手の下側の腕部が外れ易い。
【０００７】
上記のように、従来の把手では、その下側の腕部が上下に撓み易い形状とされている。そして、この撓み易い下側の腕部が、形状精度が低く、しかも剛性が不十分な把手取付部の下側端面に当接および嵌り込むことにより、把手がボトルに固定されている。このために、大型のボトルなどの場合には、ボトル把手取付部の下側端面が作用荷重に耐えることができずに変形して、把手がその下側の腕部から外れやすい。
【０００８】
従来の把手付きボトルにおいてはこの点が何ら考慮されておらず、把手の固定強度が十分でないという解決すべき課題がある。
【０００９】
本発明の課題は、このような点に鑑みて、ブロー成形されたボトルに形成されている把手取付部の成形精度が悪く、剛性が十分でない場合であっても、ボトルの把手取付部に強固に取付可能なボトル用把手、および当該ボトル用把手が取り付けられた把手付きボトルを提案することにある。
【課題を解決するための手段】
【００１０】
上記の課題を解決するために、本発明は、プラスチックボトルに形成されている把手取付部に嵌め込み固定されるプラスチック製のボトル用把手において、
縦長の握り部と、
この握り部のボトル側表面の上端部から突出している、上下方向に撓み可能な可撓性の上側腕部と、
前記握り部のボトル側表面の下端部から突出している、上下方向に撓むことのない剛性の下側腕部と、
前記上側腕部あるいは前記下側腕部の先端部から他方の腕部に向けて延びており、当該他方の腕部の表面に沿ってその先端側に押し出すと、前記上側腕部を上方に撓めながら移動して、当該他方の腕部の先端部に形成されている先端係合溝に嵌り込み、前記上側腕部と前記下側腕部の間隔が狭まることの無い様に保持可能な撓み防止板と、
前記上側腕部の上面の先端部から上方に突出している上側係合突起と、
前記下側腕部の下面の先端部から下方に突出している下側係合突起と、
を有していることを特徴としている。
【００１１】
ここで、前記撓み防止板が、前記下側腕部の先端部から前記上側腕部に向けて延びている場合には、前記上側腕部の先端部に前記先端係合溝が形成される。
【００１２】
本発明のボトル用把手は、ボトル下側に位置する下側腕部をボトル上下方向に撓むことのない剛性腕部としてある。したがって、当該剛性腕部の下面が押し付けられるボトル側の把手取付部の下側端面の形状精度が悪い場合においても、それらの間の機械的係合を十分に確保できる。また、当該下側端面の面外剛性が低い場合においても、それらの間の機械的係合を十分に確保できる。よって、下側腕部が上下に撓み可能な可撓性腕部とされていた従来のボトル用把手に比べて、強固にボトルに固定することができる。
【００１３】
ここで、前記撓み防止板は、そのボトル側表面に、その長辺方向に延びている第１補強リブを備えていることを特徴としている。
【００１４】
また、前記撓み防止板は、そのボトル側表面とは反対側の表面に、その長辺方向に延びている第２補強リブを備えていることを特徴としている。
【００１５】
さらに、前記下側腕部は、その上面に、前記握り部のボトル側表面から前記第２補強リブに至る第３補強リブを備えていることを特徴としている。
【００１６】
このように撓み防止板に補強用のリブを形成してあるので、上下の腕部を確実に把手取付用凹部の上下の端面に当接させた状態を保持できる。これにより、把手の固定強度を高めることができる。
【００１７】
特に、撓み防止板および下側腕部のそれぞれに補強用のリブを形成した場合には、ボトル落下時などに作用する衝撃力によって把手が外れてしまうことを確実に防止できる。
【００１８】
次に本発明では、前記握り部の上端面から突出している位置決め用突起を備えていることを特徴としている。
【００１９】
一方、本発明は、胴部の外周面部分に把手取付部が形成されているプラスチック製のボトルと、当該ボトルのブロー成形後に前記把手取付部に取り付けられたプラスチック製の把手とを有する把手付きボトルにおいて、
前記把手取付部は、
ボトル上下方向に延びる所定幅の凹部と、
当該凹部の下向きの上側端面におけるボトル中心側の端から上方に窪んでいる上側嵌め込み溝と、
前記凹部の上向きの下側端面におけるボトル中心側の端から下方に窪んでいる下側嵌め込み溝とを備えており、
前記把手は、
前記上側端面の開口縁から前記下側端面の開口縁まで延びている縦長の握り部と、
当該握り部の上端部からボトル中心側に向けて突出し、前記上側端面に当接している上側当接面を備えた上側腕部と、
当該上側腕部の先端部から上方に突出し、前記上側嵌め込み溝に嵌っている上側係合突起と、
前記上側腕部の先端部の下面部分から下方に突出している爪部分によって当該下面部分の先端側に形成された先端係合溝と、
前記握り部の下端部からボトル中心側に向けて突出し、前記下側端面に当接している下側当接面を備えた下側腕部と、
当該下側腕部の先端部から下方に突出し、前記下側嵌め込み溝に嵌っている下側係合突起と、
前記下側腕部の先端部から前記上側腕部の先端部の下面部分まで延び、先端部が当該下面部分に形成されている前記先端係合溝に嵌め込まれている撓み防止板とを備えており、
前記下側腕部は、ボトル上下方向には実質的に撓むことのない剛性腕部であり、
前記上側腕部は、ボトル上下方向に撓むことのできる可撓性腕部であり、
前記凹部に前記把手を押し込み、前記撓み防止板の先端部を前記爪部分を越えて前記先端係合溝に押し込むことにより前記上側腕部の撓みが阻止され、当該把手が前記把手取付部に取り付けられた状態に保持されていることを特徴としている。
【００２０】
本発明の把手付きボトルでは、その把手のボトル下側に位置する下側腕部がボトル上下方向に撓むことのない剛性腕部となっている。したがって、当該剛性腕部の下面が押し付けられるボトル側の把手取付部の下側端面の形状精度が悪い場合においても、それらの間の機械的係合を十分に確保できる。また、当該下側端面の面外剛性が低い場合においても、それらの間の機械的係合を十分に確保できる。よって、下側腕部が上下に撓み可能な可撓性腕部とされていた従来のボトル用把手を用いる場合に比べて、把手を強固にボトルに取り付けることができる。
【００２１】
ここで、本発明では、前記撓み防止板におけるボトル側表面には、上下方向に延びる第１補強リブが形成されていることを特徴としている。
【００２２】
また、前記撓み防止板は、そのボトル側表面とは反対側の表面に、上下方向に延びている第２補強リブを備えていることを特徴としている。
【００２３】
さらに、前記下側腕部は、その上面に、前記握り部のボトル側表面から前記第２補強リブに至る第３補強リブを備えていることを特徴としている。
【００２４】
このように撓み防止板に補強用のリブを形成すると、上下の腕部を確実に把手取付用の凹部の上下の端面に当接させた状態を保持できる。これにより、把手の固定強度を高めることができる。特に、撓み防止板および下側腕部のそれぞれに補強用のリブを形成した場合には、ボトル落下時などに作用する衝撃力によって把手が外れてしまうことを確実に防止できる。
【００２５】
次に、本発明では、前記凹部における前記上側端面のボトル中心側の端から前記下側端面のボトル中心側の端に至る凹部底面に、前記第１補強リブが嵌り込む上下方向に延びるリブ溝が形成されていることを特徴としている。
【００２６】
また、前記凹部底面には、前記撓み防止板、前記上側腕部の先端部分および前記下側腕部の先端部分を嵌めるための上下方向に延びる縦長の浅い凹部が形成されていることを特徴としている。
【００２７】
更に、前記把手取付部は、前記凹部の前記上側端面の開口縁部分に形成された差込溝を備え、前記把手は、前記差込溝に対峙している前記把手の前記上側当接面の部位に形成され、当該差込溝に差し込まれている位置決め用突起を備えていることを特徴としている。
【００２８】
このようにリブの嵌るリブ溝、撓み防止板などの嵌る凹部、位置決め用突起が嵌る差込溝を形成しておくことにより、把手を所定位置に位置決めでき、左右にがたつくことを確実に防止できる。
【００２９】
一方、本発明では、前記撓み防止板の初期形状は、その長辺方向に沿ってボトル側に凸となるように湾曲した形状であり、前記凹部に前記把手を押し込み、前記撓み防止板の先端部を前記先端係合溝に嵌め込んだ状態では、当該撓み防止板が前記凹部底面部分に密着してほぼ直線状に保持されることを特徴としている。
【００３０】
上側腕部および下側腕部を押し広げている撓み防止板を直線状に保持することにより、当該撓み防止板の上下方向の剛性を確保できる。この結果、凹部に対する把手の固定強度を高めることができる。
【発明の効果】
【００３１】
本発明では、ボトル用把手の下側腕部を上下方向には撓むことのない剛性腕部とし、上側に位置する上側腕部を上下方向に撓み可能な可撓性腕部とし、当該上側腕部の撓みを撓み防止板によって阻止している。したがって、ボトルの把手取付用凹部における下側端面の形状精度が悪い場合、その剛性が低い場合であっても、把手の固定強度を十分なものとすることができる。
【発明を実施するための最良の形態】
【００３２】
以下に、図面を参照して、本発明を適用したプラスチック製の把手付きボトルの実施の形態を説明する。
【００３３】
（全体構成）
図１（ａ）は把手付きボトルを示す側面図であり、図１（ｂ）は把手を示す側面図である。また、図２（ａ）は把手付きボトルの縦断面図であり、図２（ｂ）は横断面図である。これらの図を参照して説明すると、本例の把手付きボトル１のボトル本体２は、小径の口部３と、その下側に連続している底付きの全体として円筒状の胴部４とを備えており、胴部外周面には面外剛性を高めるための凹凸状のリブが形成されている。胴部４における上側の外周面部分には、上下方向に所定幅の把手取付用凹部５が形成されている。この形状のボトル本体２は二軸延伸ブロー成形により成形されたものであり、成形後に、その把手取付用凹部５に、別個に成形しておいたプラスチック製の把手１０が固定されている。
【００３４】
ボトル本体２に形成されている把手取付用凹部５は、凹部底面を規定しているほぼ平坦な胴部側面部分６と、この胴部側面部分６の上端縁から胴部外周面部分４ａに至る下向きの上側端面７と、胴部側面部分６の下端縁から胴部外周面部分４ａに至る上向きの下側端面８によって規定されている。胴部側面部分６の中央にはボトル上下方向に延びる一定幅の浅い凹溝６ａが形成され、さらに、当該凹溝６ａの中心にはボトル上下方向に延びるリブ溝６ｂが形成されている。
【００３５】
上側端面７は、下側に凸の凸曲面形状をしており、そのボトル中心側の端は、上方に窪んでいる細幅の上側嵌め込み溝７ａとなっている。当該上側端面７のボトル外周側の端（開口縁部分）を形成している円弧面部分には、ボトル中心側に窪んでいる差込溝７ｂが形成されている。下側端面８は、上側に凸の凸曲面形状をしており、そのボトル中心側の端は、下方に下方に窪んでいる細幅の下側嵌め込み溝８ａとなっている。
【００３６】
（把手の構成）
この形状の把手取付用凹部５に固定されているプラスチック製の把手１０は、上側端面７の開口縁から下側端面８の開口縁まで延びている縦長の握り部１１と、この握り部１１の上下の端部からボトル中心側に突出している上側腕部１２および下側腕部１３と、下側腕部１３の先端部からボトル上方に延びている撓み防止板１４（支持板）とを備えている。上側腕部１２は上下方向に撓み可能な可撓腕部であり、下側腕部１３は上下方向には撓むことのない剛性腕部である。取付状態においては、撓み防止板１４の上端１４ａは、上側腕部１２の先端から外れないように、当該先端に形成した先端係合溝１２ｂに係合しており、当該撓み防止板１４によって上側腕部１２の撓みが阻止されている。
【００３７】
なお、撓み防止板１４を上側腕部１２の先端から下側腕部１３に向けて延びるように形成し、下側腕部１３の先端に先端係合溝を形成してもよい。
【００３８】
各部の形状を詳細に説明すると、握り部１１は、一定幅および厚さの縦長の円弧状の外板部分１１ａと、これよりも幅の狭い一定厚さの直線状の内板部分１１ｂとが、縦リブ１１ｃによって連結された形状をしている。外板部分１１ａの上端は内側に鋭角に折れ曲がり、内板部分１１ｂの上端は内側に円弧状に曲がり、これらが合流して、一定厚さの上側腕部１２に連続している。
【００３９】
外板部分１１ａの上端の内側表面部分には、ボトル側に形成されている差込溝７ｂに差し込まれている突起１５が一体形成されている。また、上側腕部１２の上側当接面１２ａは下側に僅かに湾曲した湾曲面であり、その先端側の部位には、上方に一定幅および一定厚さで突出した上側突起１６が一体形成されている。この上側突起１６がボトル側の上側端面７の上側嵌め込み溝７ａに下側から嵌っている。
【００４０】
上側腕部１２の下側面は平坦な面であり、その先端側の部位には、先端側に向けて突出量の多くなるくさび状の爪部分１７が形成されている。この爪部分１７の端面１７ａと下側面の先端部分とによって、先端係合溝１２ｂが形成されている。この先端係合溝１２ｂに撓み防止板１４の上端１４ａが嵌っている。
【００４１】
次に、握り部１１の外板部分１１ａの下端は９０度よりも小さな角度で内側に折れ曲がって、下側腕部１３の下板部分１３ａに連続している。内板部分１１ｂの下端も内側に円弧状に曲がり、下側腕部１３の上板部分１３ｂに連続している。下側腕部１３は、上板部分１３ａと下板部分１３ｂがボトル中心側の先端において合流した山形形状をしており、これらの間が三角形の縦リブ１３ｃによって連結されている。したがって、上下方向の剛性が高く、上下方向には撓まない剛性腕部となっている。
【００４２】
下側腕部１３の下側当接面１３ｄは全体として上側に僅かに湾曲した湾曲面であり、その先端側の部位には下方に一定幅で突出した下側突起１８が一体形成されており、これが、ボトル側の下側端面８の下側嵌め込み溝８ａに上側から嵌っている。
【００４３】
この構成の下側腕部１３の先端は円弧状にほぼ直角に湾曲して、撓み防止板１４に連続している。撓み防止板１４は一定幅で一定厚さの縦長の矩形板であり、その内側の表面の中心には上下方向に延びる補強リブ１４ｂが形成されている。撓み防止板１４は、ボトル側の凹溝に装着され、その補強用リブ１４ｂも凹溝に形成したリブ溝６ｂに嵌った状態となっている。
【００４４】
（把手の組付手順）
図３は把手１０をボトル本体２に組み付ける手順を示してある。図３（ａ）に示すように、取付前の把手１０は、撓み防止板１４の先端１４ａが上側腕部１２の爪部分１７よりも握り部１１の側に位置している。先端１４ａは内側が円弧面となっており、爪部分１７に容易に乗り上げ可能となっている。
【００４５】
まず、図３（ａ）に示すように、ボトル本体２に取り付けた状態に対して把手１０を所定角度だけ前傾姿勢にして、その上側腕部１２の上側当接面１２ａを、ボトル本体２の把手取付用凹部５の上側端面７に押し当て、突起１５が差込溝７ｂに差し込まれ、上側突起１６が上側嵌め込み溝７ａに位置決めされた状態を形成する。
【００４６】
この状態で、把手１０の握り部１１の下側部分を把手取付用凹部５に向けて強制的に押し込む。この結果、上側腕部１２における撓み防止板１４の先端１４ａが当っている部分の先端側が下方に撓み、また、ボトル本体側の下側端面８が撓むことにより、把手１０の下側腕部１３の下側突起１８を下側嵌め込み溝８ａに押し込むことができる。
【００４７】
図３（ｂ）の実線はこの状態を示してある。この後は、撓み防止板１４をボトル中心側に強制的に押し込む。撓み防止板１４の先端１４ａは、上側腕部１２を強制的に上側に撓めながら、爪部分１７を乗り越える。爪部１７を乗り越えると、先端１４ａは先端側の先端係合溝１２ｂに嵌り、上側腕部１２は再び下側に戻る。この結果、撓み防止板１４は、図３（ｂ）において想像線で示すように、上側腕部１２に対して外れることのない状態で係合して、把手１０の組付状態が形成される。
【００４８】
下側腕部１３は剛性腕部であり、可撓性の上側腕部１２は撓み防止板１４によって撓みが阻止される。よって、上側腕部１２の上側突起１６および下側腕部１３の下側突起１８がそれぞれ、上側嵌め込み溝７ａおよび下側嵌め込み溝８ａに嵌った状態に保持され、また、上側の突起１５も差込溝７ｂに嵌った状態に保持されるので、把手１０がボトル本体２に固定された状態になる。
【００４９】
なお、上記の把手１０においては、その上側腕部１１および下側腕部１３の先端部分にそれぞれ上側突起１７および下側突起１８を形成し、これらを把手取付用凹部５の上側嵌め込み溝７ａおよび下側嵌め込み溝８ａに嵌めこむことにより、把手１０をボトル側に固定している。これら把手１０と凹部５の間に、上側腕部１１の上側当接面および下側腕部１２の下側当接面とが、それぞれ、把手取付用凹部５側の上側端面７および下側端面８に対して、抜け出ないような機械的係合が形成されれば、突起および溝は各種の形状、大きさのものとすることができる。
【００５０】
（把手の別の例）
図４および図５には、把手取付用凹部５に装着可能な把手の別の例を示してある。図４（ａ）はボトルに装着する前の把手の側面図であり、図４（ｂ）はそのＡ部詳細図であり、図４（ｃ）はＣ−Ｃ線で切断した部分の断面図である。図５（ａ）はボトル装着時の把手を示す側面図であり、図５（ｂ）はボトル側（矢印Ｄの方向）から見た場合の端面図であり、図５（ｃ）はＢ−Ｂ線で切断した部分の断面図である。
【００５１】
これらの図を参照して説明すると、本例の把手１００は、ボトル本体２に形成されている把手取付用凹部５に嵌め込み固定されるプラスチック製のボトル用把手であって、縦長の握り部１１１と、この握り部１１１のボトル側表面の上端部から突出している、上下方向に撓み可能な可撓性の上側腕部１１２と、握り部１１１のボトル側表面の下端部から突出している、上下方向に撓むことのない剛性の下側腕部１１３を有している。また、この下側腕部１１３の先端部から上側腕部１０２に向けて延びており、上側腕部１１２の下面に沿ってその先端側に押し出すと、当該上側腕部１１２を上方に撓めながら移動して、当該上側腕部１１２の先端部に形成されている先端係合溝１１２ｂに嵌り込み、上側腕部１１２と下側腕部１１３の間隔を押し広げた状態に保持可能な撓み防止板１１４を有している。上側腕部１１２の上面の先端部には、上方に突出している上側係合突起１１６が形成されており、下側腕部１１３の下面の先端部には、下方に突出している下側係合突起１１８が形成されている。撓み防止板１１４を上側腕部１１２の先端から下側腕部１１３に延びる状態に形成し、下側腕部１１３の先端に先端係合溝を形成してもよい。
【００５２】
各部の形状を詳細に説明すると、握り部１１１は、一定幅および厚さの縦長の円弧状の外板部分１１１ａと、これよりも幅の狭い一定厚さの円弧状の内板部分１１１ｂとが、縦リブ１１１ｃによって連結された形状をしている。外板部分１１１ａの上端は内側に鋭角に折れ曲がり、内板部分１１１ｂの上端は内側に円弧状に曲がり、これらが合流して、一定厚さの上側腕部１１２に連続している。
【００５３】
上側腕部１１２の上面である上側当接面１１２ａは下側に僅かに湾曲した湾曲面であり、その先端側の部位には、上方に一定幅および一定厚さで突出した上側突起１１６が一体形成されている。この上側突起１１６がボトル側の上側端面７の上側嵌め込み溝７ａに下側から嵌め込み可能である。
【００５４】
上側腕部１１２の下面は先端側に向けて下方に僅かに湾曲した湾曲面１１２ｃであり、その先端側の部位には、クサビ状の爪部分１１７が形成されている。この爪部分１１７の端面１１７ａと上側腕部１１２の下面先端部分とによって、先端係合溝１１２ｂが形成されている。この先端係合溝１１２ｂには、撓み防止板１１４の上端１１４ａを爪部分１１７を乗り越えて嵌め込むことができる。
【００５５】
次に、握り部１１１の外板部分１１１ａの下端は９０度よりも小さな角度で内側に折れ曲がって、下側腕部１１３の下板部分１１３ａに連続している。内板部分１１１ｂの下端も内側に円弧状に曲がり、下側腕部１１３の上板部分１１３ｂに連続している。下側腕部１１３は、上板部分１１３ａと下板部分１１３ｂがボトル中心側の先端において合流した山形形状をしており、これらの間が三角形の縦リブ１１３ｃによって連結されている。したがって、上下方向の剛性が高く、上下方向には撓まない剛性腕部となっている。
【００５６】
下側腕部１１３の下面である下側当接面１１３ｄは全体として上側に傾斜した傾斜面であり、その先端側の部位には下方に一定幅で突出した下側突起１１８が一体形成されており、これが、ボトル側の下側端面８の下側嵌め込み溝８ａに上側から嵌め込み可能である。
【００５７】
この構成の下側腕部１１３の先端は円弧状にほぼ直角に湾曲して、撓み防止板１１４に連続している。撓み防止板１１４は一定幅で一定厚さの縦長の矩形板であり、そのボトル側の表面の中心には上下方向に延びる略矩形断面の第１補強リブ１１４ｂが形成されている。撓み防止板１１４は、ボトル側の凹溝６ａに装着可能であり、その第１補強リブ１１４ｂも凹溝６ａに形成したリブ溝６ｂに嵌め込み可能である。
【００５８】
ここで、本例の把手１００の撓み防止板１１４は、そのボトル側の表面とは反対側の表面に第２補強リブ１１４ｃが形成されている。第２補強リブ１１４ｃは、撓み防止板１１４の幅方向の中央を上下方向に延びている略半円形断面のリブである。また、下側腕部１１３の上面にも、その幅方向の中央に第３補強リブ１１３ｅが形成されている。第３補強リブ１１３ｅは、略矩形断面のリブであり、第２補強リブ１１４ｃの下端部から握り部１１１の内板部分１１１ｂの下端部分まで延びている。
【００５９】
この構成の把手１００は、前述の把手１０と同様の組付手順によりボトル本体２に組み付けることができる。すなわち、取付前の把手１００は、図４に示すように、撓み防止板１１４の先端１１４ａが上側腕部１１２の爪部分１１７よりも握り部１１１の側に位置している。また、撓み防止板１１４の初期形状は、その長辺方向に沿って僅かにボトル側に凸となった湾曲形状をしている。
【００６０】
把手１００の上側腕部１１２を、ボトル本体２の把手取付用凹部５の上側端面７に押し当て、上側突起１１６が上側嵌め込み溝７ａに位置決めされた状態を形成する。この状態で、把手１００の握り部１１１の下側部分を把手取付用凹部５に向けて強制的に押し込む。この結果、上側腕部１１２における撓み防止板１１４の先端１１４ａが当っている部分の先端側が下方に撓み、また、ボトル本体側の下側端面８が撓むことにより、把手１００の下側腕部１１３の下側突起１１８を下側嵌め込み溝８ａに押し込むことができる。
【００６１】
この後は、撓み防止板１１４をボトル中心側に強制的に押し込む。撓み防止板１１４の先端１１４ａは、上側腕部１１２の案内用の湾曲面１１２ｃに沿ってスライドし、上側腕部１１２を強制的に上側に撓めながら、爪部分１１７を乗り越える。爪部分１１７を乗り越えると、先端１１４ａは先端側の先端係合溝１１２ｂに嵌り、上側腕部１１２は再び下側に戻る。この結果、撓み防止板１１４は、図５に示すように、上側腕部１１２に対して外れることのない状態で係合して、把手１００の組付状態が形成される。
【００６２】
下側腕部１１３は剛性腕部であり、可撓性の上側腕部１１２は撓み防止板１１４によって撓みが阻止される。よって、上側腕部１１２の上側突起１１６および下側腕部１１３の下側突起１１８がそれぞれ、上側嵌め込み溝７ａおよび下側嵌め込み溝８ａに嵌った状態に保持される。よって、把手１００がボトル本体２に固定された状態になる。
【００６３】
また、第１〜第３補強リブが形成されており、これらによって、撓み防止板１１４および下側腕部１１３の剛性が高められている。よって、ボトルを落下させた場合などのように、衝撃力がボトル、把手に加わった場合であっても、撓み防止板１１４が外れて、把手１００がボトル本体２から外れてしまうという弊害が起きない。
【００６４】
さらに、第１補強リブ１１４ｂの嵌るリブ溝６ｂ、撓み防止板１１４の嵌る凹部６ａが形成されているので、把手１００が左右にガタ付くことなく、確実に所定位置に位置決めされる。
【００６５】
さらには、撓み防止板１１４の初期形状は、その長辺方向に沿ってボトル側に凸となるように湾曲した形状であり、凹部５に把手１００を押し込み、撓み防止板１１４の先端部を先端係合溝１１２ｂに嵌め込んだ状態では、当該撓み防止板１１４が平坦な凹部底面部分に密着してほぼ直線状に保持される。上側腕部１１２を支持している撓み防止板１１４を直線状に保持することにより、当該撓み防止板１１４の上下方向の剛性を確保できる。この結果、凹部５に対する把手１００の固定強度を高めることができる。
【図面の簡単な説明】
【００６６】
【図１】本発明を適用した把手付きボトルの側面図および把手の側面図である。
【図２】図１のボトルの縦断面図および横断面図である。
【図３】ボトルに把手を取り付ける手順を示す説明図である。
【図４】把手取付用凹部に装着可能な把手の別の例を示す図であり、（ａ）はボトルに装着する前の把手の側面図であり、（ｂ）はそのＡ部詳細図であり、（ｃ）はＣ−Ｃ線で切断した部分の断面図である。
【図５】（ａ）は図４の把手のボトル装着時の側面図であり、（ｂ）は矢印Ｄの方向から見た場合の端面図であり、（ｃ）はＢ−Ｂ線で切断した部分の断面図である。
【符号の説明】
【００６７】
１  把手付きボトル、２  ボトル本体、３  口部、４  胴部、４ａ  胴部外周面部分、５
把手取付用凹部、６  凹溝の外周側面、７  上側端面、７ａ  上側嵌め込み溝、８  下側端面、８ａ  下側嵌め込み溝、１０，１００  把手、１１，１１１  握り部、１２，１１２  上側腕部、１２ｂ，１１２ｂ  先端係合溝、１３，１１３  下側腕部、１４，１１４  撓み防止板、１４ａ，１１４ａ  先端、１４ｂ  補強リブ、１２ａ，１１２ａ  上側当接面、１２ｂ，１１２ｂ  先端係合溝、１３ｄ，１１３ｄ  下側当接面、１６，１１６  上側突起、１７，１１７  爪部分、１８，１１８  下側突起、１５  位置決め用突起、１１４ｂ  第１補強リブ、１１４ｃ  第２補強リブ、１１３ｅ  第３補強リブ
【図１】
2007276841.tif 000003
【図２】
2007276841.tif 000004
【図３】
2007276841.tif 000005
【図４】
2007276841.tif 000006
【図５】
2007276841.tif 000007